(57)【要約】【課題】凹凸屋根と外壁との取り合い部の施工性を向上させることができる雨押え部材及び凹凸屋根と外壁との取り合い部構造を提供する。【解決手段】本発明の雨押え部材２は、凹凸屋根１１と外壁８との取り合い部分に設置される雨押え部材２である。この雨押え部材２は、外壁８に固定される縦固定部３と、この縦固定部３の下端部から突出した横面部４と、この横面部４の前記凹凸屋根１１側の端部に設けられた屋根側固定部５とを備えている。横面部４は、縦固定部３に設けられた第一横片４１と、屋根側固定部５に設けられた第二横片４２とを有している。横面部４は、第二横片４２が第一横片４１に対して軒方向に移動可能に形成されており、これにより、軒方向に沿って伸縮可能に構成されている。【選択図】図１
2015132077.tif 000002
【特許請求の範囲】
【請求項１】
軒方向に凹部と凸部とが交互に形成された凹凸屋根と、
この凹凸屋根の軒方向の端部に立設された外壁と
の取り合い部分に設置される雨押え部材であって、
前記外壁に固定される縦固定部と、
この縦固定部の下端部から前記凹凸屋根側に向かって突出した横面部と、
この横面部の前記凹凸屋根側の端部に設けられ前記凹凸屋根の上面に載設される屋根側固定部と
を備え、
前記横面部は、
前記縦固定部に設けられた第一横片と、
この第一横片に重ねて接続され前記屋根側固定部に設けられた第二横片と
を有しており、
前記横面部は、前記第二横片が前記第一横片に対して軒方向に移動可能に形成され、これにより、軒方向に沿って伸縮可能に構成されたものである
ことを特徴とする雨押え部材。
【請求項２】
前記第一横片及び前記第二横片のうち、
いずれか一方には、屋根勾配方向に沿った溝部が軒方向に複数並設されており、
いずれか他方には、溝部に係合可能な引掛け部が設けられており、
前記溝部のいずれかと前記引掛け部とで位置決め可能に構成されている
ことを特徴とする請求項１記載の雨押え部材。
【請求項３】
軒方向に凹部と凸部とが交互に形成された凹凸屋根と、
この凹凸屋根の軒方向の端部に立設された外壁と、
前記凹凸屋根と前記外壁との取り合い部分に設置される雨押え部材と
を備えた凹凸屋根と外壁との取り合い部構造であって、
前記雨押え部材は、
前記外壁に固定される縦固定部と、
この縦固定部の下端部から前記凹凸屋根側に向かって突出した横面部と、
この横面部の前記凹凸屋根側の端部から下方に向かって突出し、前記凹凸屋根の前記凹部に載設される屋根側固定部と
を備え、
前記横面部は、
前記縦固定部に設けられた第一横片と、
この第一横片に重ねた状態で固定され前記屋根側固定部に設けられた第二横片と
を有している
ことを特徴とする凹凸屋根と外壁との取り合い部構造。
【発明の詳細な説明】
【技術分野】
【０００１】
本発明は、雨押え部材、及び凹凸屋根と外壁との取り合い部の構造に関する。
【背景技術】
【０００２】
特許文献１には、従来の雨押え部材が開示されている。この特許文献１記載の雨押えは、屋根瓦と外壁材との取り合い部に取り付けられる。
【０００３】
この種の雨押えは、鉛直方向に延びる縦片と、縦片の下端から横方向に突出した横片と、横片の屋根瓦側の端部に設けられた屋根固定片とを備えている。この縦片は、外壁材に沿って固定される。屋根固定片は、屋根瓦に載設される。
【先行技術文献】
【特許文献】
【０００４】
【特許文献１】特開平６−１４６０８０号公報
【発明の概要】
【発明が解決しようとする課題】
【０００５】
ところでこの種の雨押え部材は、凹凸屋根（軒方向に凹部と凸部とが繰り返し形成された屋根）と外壁材との取り合い部に設置される場合がある。しかしながら、この凹凸屋根は、軒方向の端部の形状が施工現場ごとに異なる（例えば、凹凸屋根の軒方向の端縁から凸部までの距離が現場ごとに異なる）ため、屋根固定片を凹凸屋根の所定の位置に配置できない場合がある。
【０００６】
この場合、施工現場において、施工者は、凹凸屋根の形状に合わせて雨押え部材を加工した上で設置している。このため、従来の雨押え部材では、施工性が悪いという問題がある。
【０００７】
本発明は、上記事情に鑑みてなされたものであり、その目的とするところは、凹凸屋根と外壁との取り合い部の施工性を向上させることができる雨押え部材及び凹凸屋根と外壁との取り合い部構造を提供することにある。
【課題を解決するための手段】
【０００８】
本発明の雨押え部材は、軒方向に凹部と凸部とが交互に形成された凹凸屋根と、この凹凸屋根の軒方向の端部に立設された外壁との取り合い部分に設置される雨押え部材であって、前記外壁に固定される縦固定部と、この縦固定部の下端部から前記凹凸屋根側に向かって突出した横面部と、この横面部の前記凹凸屋根側の端部に設けられ前記凹凸屋根の上面に載設される屋根側固定部とを備え、前記横面部は、前記縦固定部に設けられた第一横片と、この第一横片に重ねて接続され前記屋根側固定部に設けられた第二横片とを有しており、前記横面部は、前記第二横片が前記第一横片に対して軒方向に移動可能に形成され、これにより、軒方向に沿って伸縮可能に構成されたものであることを特徴とする。
【０００９】
またこの雨押え部材において、前記第一横片及び前記第二横片のうち、いずれか一方には、屋根勾配方向に沿った溝部が軒方向に複数並設されており、いずれか他方には、溝部に係合可能な引掛け部が設けられており、前記溝部のいずれかと前記引掛け部とで位置決め可能に構成されていることが好ましい。
【００１０】
また本発明のこの凹凸屋根と外壁との取り合い部構造は、軒方向に凹部と凸部とが交互に形成された凹凸屋根と、この凹凸屋根の軒方向の端部に立設された外壁と、前記凹凸屋根と前記外壁との取り合い部分に設置される雨押え部材とを備えた凹凸屋根と外壁との取り合い部構造であって、前記雨押え部材は、前記外壁に固定される縦固定部と、この縦固定部の下端部から前記凹凸屋根側に向かって突出した横面部と、この横面部の前記凹凸屋根側の端部から下方に向かって突出し、前記凹凸屋根の前記凹部に載設される屋根側固定部とを備え、前記横面部は、前記縦固定部に設けられた第一横片と、この第一横片に重ねた状態で固定され前記屋根側固定部に設けられた第二横片とを有していることを特徴とする。
【発明の効果】
【００１１】
本発明の雨押え部材によれば、横面部が軒方向に沿って伸縮可能に構成されているため、凹凸屋根の軒方向の端部の凸部の位置に合わせて、容易に屋根側固定部の位置を変更することができる。この結果、凹凸屋根と外壁との取り合い部の施工性を向上させることができる。
【００１２】
また、本発明の凹凸屋根と外壁との取り合い部構造によれば、第一横片と第二横片とが重ねられており、施工時には相対的に移動可能に構成されたものであるため、施工時において、容易に屋根側固定部の位置を変更することができる。この結果、凹凸屋根と外壁との取り合い部の施工性を向上させることができる。
【図面の簡単な説明】
【００１３】
【図１】（ａ）は実施形態１の雨押え部材の横面部が収縮した状態の斜視図であり、（ｂ）は実施形態１の雨押え部材の横面部が伸長した状態の斜視図である。
【図２】実施形態１の凹凸屋根と外壁との取り合い部構造の斜視図である。
【図３】実施形態１の凹凸屋根と外壁との取り合い部構造の断面図である。
【図４】実施形態１の雨押え部材の要部斜視図である。
【図５】実施形態１の雨押え部材の横面部の要部斜視図である。
【図６】実施形態２の凹凸屋根と外壁との取り合い部構造の断面図である。
【発明を実施するための形態】
【００１４】
以下、本発明の実施形態について添付図面に基づいて説明する。
【００１５】
実施形態１の雨押え部材２は、図２に示すように、屋根１と、屋根１の勾配方向（以下、この勾配を屋根勾配という）とは直角な方向（以下、軒方向という）の端部に隣接配置された外壁８との取り合い部分（入隅部）に設置される。外壁８の壁面は、屋根１の軒方向の端部から立ち上がっている。言い換えると、屋根１の軒方向の端部には外壁８が立設されている。
【００１６】
なお、図２中の符号６に示す部材は、いわゆる壁止まり部材であり、符号７に示す部材は、軒樋７である。
【００１７】
屋根１は、凹凸屋根１１と、屋根下地１４（図３）とを備えている。凹凸屋根１１は、凹部１２と凸部１３とが軒方向に繰り返し形成された金属屋根材である。凹凸屋根１１の凹部１２および凸部１３は、屋根勾配方向に長さを有しており、屋根勾配方向の全長に亙って連続して設けられている。
【００１８】
屋根下地１４は、図３に示すように、凹凸屋根１１の下地になる部材である。屋根下地１４は、例えば、垂木（図示せず）と野地板１５とを備えている。野地板１５の上面は、勾配を有しており、これにより屋根勾配を形成する。
【００１９】
屋根下地１４と外壁８との間の入隅部には、桟木１６が設けられる。桟木１６は、屋根勾配方向に長さを有し、軒方向に幅を有し、上下方向に厚さを有しており、断面矩形状をしている。
【００２０】
この外壁８と凹凸屋根１１との取り合い部分には、雨押え部材２が設置される。
【００２１】
雨押え部材２は、図１（ａ）（ｂ）に示すように、鉛直な縦固定部３と、縦固定部３の下端部から水平方向に突出した横面部４と、横面部４の突出先端から下方に向かって突出した屋根側固定部５とを備えている。
【００２２】
縦固定部３は、外壁８の壁面に沿って配置された状態で外壁８に固定される部分である。縦固定部３の外壁８への固定は、例えば、釘やビス等の固着具を介して行われる。縦固定部３は、上下方向に幅を有し、屋根勾配方向に長さを有している。縦固定部３の上端は、ヘミング曲げ加工がなされている。なお、この縦固定部３の長さは、屋根勾配方向の全長に亙って連続して形成される。
【００２３】
横面部４は、縦固定部３の下端部から凹凸屋根１１側に向かって突出している。横面部４は、屋根勾配方向に長さを有し、軒方向に幅を有している。横面部４の長さは、屋根勾配方向の全長に亙った大きさに形成される。
【００２４】
横面部４は、縦固定部３に設けられた第一横片４１と、屋根側固定部５に設けられた第二横片４２とを備えている。第一横片４１は、縦固定部３の下端部に曲げ加工により一体に形成されている。つまり、縦固定部３と第一横片４１とは、正面視Ｌ字状に形成された一つの部材（この一つの部材を固定部材２１という）を形成する。
【００２５】
第二横片４２は、第一横片４１に重ねて接続される。第二横片４２は第一横片４１と略同じ幅を有している。第二横片４２は、第一横片４１に対して分離可能となっている。これにより、第二横片４２は、第一横片４１に対して、横面部４の幅方向に移動可能となっている。第二横片４２の凹凸屋根１１側の端部には、屋根側固定部５が一体に形成されている。図１（ａ）（ｂ）に示すように、第二横片４２と屋根側固定部５とは、正面視クランク状に形成された一つの部材（この一つの部材を可動部材２２という）を形成する。
【００２６】
横面部４は、第一横片４１と第二横片４２とが重ねて接続されることで構成されている。このため、横面部４は、図１（ｂ）に示すように、第一横片４１と第二横片４２との相対位置を変化させることで、幅方向（軒方向）に伸縮可能に構成されている。
【００２７】
屋根側固定部５は、縦部５１と横部５２とを備えている。縦部５１は、第二横片４２の端部に曲げ加工により一体に形成されている。縦部５１は、上下方向に幅を有し、屋根勾配方向に長さを有している。つまり、縦部５１の幅方向は、縦固定部３の幅方向に平行となっている。横部５２は、縦部５１の下端部に曲げ加工により一体に形成されている。横部５２の幅方向は、軒方向に平行であり、縦部５１の幅方向に直交している。横部５２の幅方向の端縁は、ヘミング曲げ加工がなされている。
【００２８】
横部５２は、図３に示すように、凹凸屋根１１の上面に載設される。横部５２は、凹凸屋根１１の凹部１２の底面か、あるいは、凸部１３の頂面に接触した状態で配置される。本実施形態の雨押え部材２の横部５２は、凹凸屋根１１の凹部１２の底面に接触した状態で設置される。
【００２９】
また、本実施形態の雨押え部材２には、第一横片４１と第二横片４２とを相互に位置決めするための位置決め部４６が設けられている。位置決め部４６は、複数の溝部４３と、引掛け部４４とによって構成される。引掛け部４４は、複数の溝部４３のうちのいずれかと係合し、これにより、第一横片４１と第二横片４２とを相互に位置決めする。このように第一横片４１と第二横片４２とを位置決めすることで、横面部４の幅方向の長さが所定長さに保たれる。
【００３０】
溝部４３は、屋根勾配方向に長さを有している。溝部４３は、軒方向に並ぶよう複数設けられている。この溝部４３のピッチは、凹凸屋根１１の凹部１２の幅の半分の寸法と同じ大きさに形成される。溝部４３は、第一横片４１と第二横片４２とのうちのいずれかに設けられる。なお、本実施形態の溝部４３は、第一横片４１に設けられている。本実施形態の溝部４３は、第一横片４１の上面に凹設され、これにより、第一横片４１の下面から下方に突出する。
【００３１】
引掛け部４４は、図５に示すように、第二横片４２の外壁８側の端縁を上方に向かってＶ字状に折り曲げることで形成されている。引掛け部４４は溝部４３に引っ掛けられ、これにより、横面部４が伸びる方向に、第二横片４２を位置規制する。なお、溝部４３が第二横片４２に設けられる場合には、引掛け部４４は第一横片４１に設けられる。
【００３２】
このように横面部４は、幅方向の大きさが、位置決め部４６によって段階的に調整できるように構成されている。そして、横面部４は、図４に示すように、位置決め部４６によって幅方向の大きさが位置決めされた状態で、第一横片４１と第二横片４２との相対位置を仮固定できる折り曲げ片４５を有している。折り曲げ片４５は、第一横片４１の長さ方向の端縁から延出している。折り曲げ片４５は、第一横片４１と第二横片４２とが重なった状態で、第二横片４２を巻き込むように折り曲げられることで、第一横片４１と第二横片４２とを相互に固定する。
【００３３】
このような構成の雨押え部材２は、例えば、次のようにして設置される（図３参照）。
【００３４】
施工者は、現場の施工状態に合わせて、縦固定部３に対する屋根側固定部５の位置を調整する。このとき、施工者は、溝部４３に引掛け部４４を係合させて位置決めする。この状態で、施工者は折り曲げ片４５を折り曲げ、第一横片４１と第二横片４２とを仮固定する。
【００３５】
次いで、施工者は、凹凸屋根１１と外壁８との取り合い部分に、横面部４の幅の大きさを調整した雨押え部材２を配置する。施工者は、縦固定部３に固着具を打ち込み、外壁８に縦固定部３を固定する。また施工者は、横面部４に固着具を打ち込み、横面部４を桟木１６に固定する。この状態で、施工者は、屋根側固定部５の横部５２と凹凸屋根１１の凹部１２の底面との間にシーリング材を打ち込む。
【００３６】
以上説明したように、本実施形態の雨押え部材２は、軒方向に凹部１２と凸部１３とが交互に形成された凹凸屋根１１と、この凹凸屋根１１の軒方向の端部に立設された外壁８との取り合い部分に設置される。雨押え部材２は、縦固定部３と、横面部４と、屋根側固定部５とを備えている。縦固定部３は、外壁８に固定される箇所である。横面部４は、この縦固定部３の下端部から凹凸屋根１１側に向かって突出している。屋根側固定部５は、この横面部４の凹凸屋根１１側の端部に設けられており、凹凸屋根１１の上面に載設される。横面部４は、縦固定部３に設けられた第一横片４１と、屋根側固定部５に設けられた第二横片４２とを有している。第二横片４２は、この第一横片４１に重ねて接続される。横面部４は、第二横片４２が第一横片４１に対して軒方向に移動可能に形成されており、これにより、軒方向に沿って伸縮可能に構成されている。
【００３７】
このため、本実施形態の雨押え部材２によれば、横面部４が伸縮可能に構成されているため、凹凸屋根１１の軒方向の端部の位置に合わせて、屋根側固定部５の位置を変更することができる。この結果、施工者は、雨押え部材２を現場に合わせて加工する手間を省くことができる。
【００３８】
また、本実施形態の雨押え部材２は、第一横片４１及び第二横片４２のうち、いずれか一方には、屋根勾配方向に沿った溝部４３が軒方向に複数並設されており、いずれか他方には、溝部４３に係合可能な引掛け部４４が設けられている。そして、雨押え部材２は、溝部４３のいずれかと引掛け部４４とで位置決め可能に構成されている。
【００３９】
このため、本実施形態の雨押え部材２によれば、横面部４の第二横片４２の位置を伸縮方向に位置決めすることができるため、施工性が向上する。
【００４０】
また、凹凸屋根１１と外壁８との取り合い部構造は、凹凸屋根１１と、この凹凸屋根１１の軒方向の端部に立設された外壁８と、凹凸屋根１１と外壁８との取り合い部分に設置される雨押え部材２とを備えている。雨押え部材２は、縦固定部３と、横面部４と、屋根側固定部５とを備えている。縦固定部３は、外壁８に固定される箇所である。横面部４は、この縦固定部３の下端部から凹凸屋根１１側に向かって突出している。屋根側固定部５は、横面部４の凹凸屋根１１側の端部から下方に向かって突出し、凹凸屋根１１の凹部１２に載設される。横面部４は、縦固定部３に設けられた第一横片４１と、屋根側固定部５に設けられた第二横片４２とを有している。第二横片４２は、この第一横片４１に重ねた状態で固定されている。
【００４１】
本実施形態の凹凸屋根１１と外壁８との取り合い部構造は、第一横片４１と第二横片４２とが重ねられており、施工時には相対的に移動可能に構成されたものである。このため、本実施形態の凹凸屋根１１と外壁８との取り合い部構造によれば、凹凸屋根１１の軒方向の端部の凹部１２の位置に合わせて、屋根側固定部５の位置を変更できるため、施工性に優れたものとなる。
【００４２】
次に、実施形態２について図６に基づいて説明する。なお、本実施形態は実施形態１と大部分において同じであるため、同じ部分においては同符号を付して説明を省略し、主に異なる部分について説明する。
【００４３】
本実施形態の凹凸屋根１１と外壁８との取り合い部構造は、桟木１６の上に笠木１７が設けられている点で、実施形態１と異なっている。このため、本実施形態の雨押え部材２の縦部５１は、笠木１７の厚さだけ、実施形態１のものよりも長く形成されている。
【００４４】
本実施形態によれば、桟木１６および笠木１７が設けられた凹凸屋根１１と外壁８との取り合い部の構造においても、施工性よく雨押え部材２を設置することができる。
【００４５】
なお、実施形態１，２の雨押え部材２の屋根側固定部５は、凹凸屋根１１の凹部１２の底面に載設されていた。しかしながら、屋根側固定部５が凹凸屋根１１の凸部１３の頂面に載設されるよう予め設計されている場合には、凸部１３の位置に合わせて屋根側固定部５の位置が調整される。この場合、屋根側固定部５が凹凸屋根１１から離れた状態になるのを防ぐことができる。
【符号の説明】
【００４６】
１      屋根
１１    凹凸屋根
１２    凹部
１３    凸部
１４    屋根下地
１５    野地板
１６    桟木
１７    笠木
２      雨押え部材
２１    固定部材
２２    可動部材
３      縦固定部
４      横面部
４１    第一横片
４２    第二横片
４３    溝部
４４    引掛け部
４５    折り曲げ片
４６    位置決め部
５      屋根側固定部
５１    縦部
５２    横部
６      壁止まり部材
７      軒樋
８      外壁
【図１】
2015132077.tif 000003
【図２】
2015132077.tif 000004
【図３】
2015132077.tif 000005
【図４】
2015132077.tif 000006
【図５】
2015132077.tif 000007
【図６】
2015132077.tif 000008